(57)【要約】【課題】簡易な作業で頭髪などの糸状の物体にビーズを通すことができるとともに、頭髪などの毛髪にビーズを通す際、被装者に与える不快感を軽減することが可能なビーズ取付具を提供する。【解決手段】ビーズ取付具１０は、糸状に形成されたビーズ保持部１１の一端部に棒状に形成されたビーズ導入部１２を備えるとともに、同ビーズ保持部１１の他端部に筒状に形成された係止部１３を備えている。ビーズ保持部１１およびビーズ導入部１２の各太さは、ビーズ２０の孔にビーズ保持部１１およびビーズ導入部１２が同時に通ることができる太さに形成されている。作業者は、ビーズ２０の孔に往復してビーズ保持部１１を通し、この際、ビーズ保持部１１によって形成されるループＲに毛束Ｋを通す。そして、ビーズ保持部１１を引っ張って毛束Ｋをビーズ２０の孔内に導いて、毛束Ｋをビーズ２０の孔に通す。【選択図】  図１
2008104803.tif 000002
【特許請求の範囲】
【請求項１】
ビーズの孔に糸状の物体を通すためのビーズ取付具において、
糸状に形成されたビーズ保持部と、前記ビーズ保持部の一端部に設けられ棒状に形成されたビーズ導入部とを備え、
前記ビーズ保持部は、前記ビーズ導入部とともに前記ビーズの孔に通すことができる太さに形成されるとともに、前記ビーズの孔に貫通した状態で同ビーズを少なくとも１つ保持することができ、
前記ビーズ導入部は、剛性または可撓性を有する素材からなり、前記ビーズ保持部とともに前記ビーズの孔に通すことができる太さに形成され、前記ビーズ保持部に保持されたビーズの孔に貫通可能な長さに形成されていることを特徴とするビーズ取付具。
【請求項２】
請求項１に記載のビーズ取付具において、
前記ビーズ保持部の他端部に、前記ビーズの孔径より大きい太さに形成された係止部を設けたビーズ取付具。
【請求項３】
請求項１または請求項２に記載のビーズ取付具において、
前記糸状の物体は、人の毛髪または人工毛髪であるビーズ取付具。
【発明の詳細な説明】
【技術分野】
【０００１】
本発明は、ビーズの孔に糸状の物体、例えば毛髪を通すためのビーズ取付具に関する。
【背景技術】
【０００２】
従来から、頭髪にビーズを装着することにより頭部を装飾することが行われている。ビーズは、主としてガラス材または樹脂材からなる球体または棒体に貫通孔を形成して構成されており、服飾・装身具として広く用いられている。ビーズを髪飾りとして用いる場合、一般に、複数の髪の毛からなる１つの毛束に複数のビーズが取り付けられる。この場合、複数のビーズに毛束を通す作業は、ビーズの大きさが極めて小さい（直径が１〜１０ｍｍ程度）ことから非常に煩雑な作業である。
【０００３】
このため、複数のビーズを効率よく毛束に通す道具として、下記特許文献１に示すようなビーズ取付具が提案されている。このビーズ取付具は、直線状に形成されたビーズ挿通部と、同挿通部の一端に設けられたループ状の係止部とから構成されている。このビーズ取付具は、係止部に毛束を通した状態でビーズ挿通部、係止部および毛束が一直線になるようにビーズ取付具を引っ張り、この状態で、ビーズ挿通部に予め保持させておいた複数のビーズを係止部を介して毛束に移すものである。
【特許文献１】登録実用新案第３０１３３９４号公報
【０００４】
しかしながら、このようなビーズ取付具においては、ビーズ挿通部、係止部および毛束が一直線になる状態を維持しながらビーズをビーズ挿通部から毛束に移さなければならず、作業が煩雑であるという問題がある。また、被装者（ビーズが装着される者）の毛束を引っ張った状態でビーズをビーズ挿通部から毛束に移すため、被装者に不快感を与えることがあるという問題がある。
【発明の開示】
【０００５】
本発明は上記問題に対処するためなされたもので、その目的は、簡易な作業で頭髪などの糸状の物体にビーズを通すことができるとともに、頭髪などの毛髪にビーズを通す際、被装者に与える不快感を軽減することが可能なビーズ取付具を提供することにある。
【０００６】
上記目的を達成するため、本発明の特徴は、ビーズの孔に糸状の物体を通すためのビーズ取付具において、糸状に形成されたビーズ保持部と、ビーズ保持部の一端部に設けられ棒状に形成されたビーズ導入部とを備え、ビーズ保持部は、ビーズ導入部とともにビーズの孔に通すことができる太さに形成されるとともに、ビーズの孔に貫通した状態で同ビーズを少なくとも１つ保持することができ、ビーズ導入部は、剛性または可撓性を有する素材からなり、ビーズ保持部とともにビーズの孔に通すことができる太さに形成され、ビーズ保持部に保持されたビーズの孔に貫通可能な長さに形成されていることにある。
【０００７】
この場合、前記ビーズ取付具において、前記糸状の物体は、例えば、人の毛髪または人工毛髪であるとよい。
【０００８】
このように構成した本発明の特徴によれば、装着するビーズの孔に往復してビーズ保持部を通し、この際ビーズ保持部によって形成されるループにビーズを装着する糸状の物体を通した状態でビーズの孔からビーズ保持部を抜き取る。これにより、糸状の物体はビーズの孔内に引き込まれ、ビーズを糸状の物体に通すことができる。すなわち、ビーズ保持部に保持されたビーズを糸状の物体に移す作業は、ビーズ保持部をビーズから抜き取るだけである。このため、従来例のように、ビーズ挿通部、係止部および毛束（糸状の物体）が一直線になる状態を維持する必要がなく、簡易な作業でビーズの孔に頭髪などの糸状の物体を通すことができる。
【０００９】
また、この場合、ビーズの孔からビーズ保持部を抜き取る力は、ビーズ挿通部、係止部および毛束（糸状の物体）が一直線になる状態を維持するために毛束に加える力より小さい。このため、ビーズの孔に頭髪などの毛髪を通す際、被装者に与える不快感を軽減することができる。
【００１０】
また、本発明の他の特徴は、前記ビーズ取付具において、ビーズ保持部の他端部に、ビーズの孔径より大きい太さに形成された係止部を設けたことにある。
【００１１】
このように構成した本発明の他の特徴によれば、ビーズ保持部に保持されたビーズがビーズ保持部におけるビーズ導入部とは反対側の端部から抜け落ちることを防止できる。
【発明を実施するための最良の形態】
【００１２】
以下、本発明に係るビーズ取付具の一実施形態について図面を参照しながら説明する。図１は、人間の頭髪、または人間の頭皮や頭髪に装着する人工頭髪（所謂、ヘアピース、エクステンション）にビーズを通すためのビーズ取付具１０を示す。このビーズ取付具１０は、糸状に形成されたビーズ保持部１１、棒状に形成されたビーズ導入部１２および筒状に形成された係止部１３から構成されている。
【００１３】
ビーズ保持部１１は、直径０．１４８ｍｍ、長さ２００ｍｍに形成されたナイロン（合成樹脂）製の糸である。本実施形態においては、釣り糸を用いている。このビーズ保持部１１の図示左側の一端部には、ビーズ導入部１２が設けられている。ビーズ導入部１２は、直径０．３５ｍｍ、長さ４５ｍｍに形成された鋼製の針である。これらビーズ保持部１１およびビーズ導入部１２の直径は、ビーズ保持部１１の直径とビーズ導入部１２の直径との合算値（本実施形態においては、０．４９８ｍｍ）が使用するビーズの孔径よりも小さくなるように設定されている。
【００１４】
ビーズ導入部１２の図示右側の一端部には、図示しない孔が設けられており、この孔にビーズ保持部１１の一端部が結ばれている。このビーズ保持部１１とビーズ導入部１２とを接続する結び目１１ａは、使用するビーズの孔径より小さい大きさになるように結ばれている。本実施形態においては、ユニ・ノットと呼ばれる結び方により結ばれている。一方、ビーズ導入部１２の図示左側の他端部である先端部１２ａは丸く形成されている。
【００１５】
ビーズ保持部１１の図示右側の他端部には、係止部１３が設けられている。係止部１３は、外径における長径５ｍｍ、同外径における短径２ｍｍ、長さ２ｍｍに形成された鋼材で構成された楕円状の筒体である。この係止部１３は、径方向に押し潰されることによりビーズ保持部１１の他端部に固定されている。この係止部１３の外径は、使用するビーズの孔径よりも大きくなるように設定されている。
【００１６】
このように構成されたビーズ取付具１０の使用方法について図２（Ａ）〜（Ｅ）を用いて説明する。なお、図２（Ａ）〜（Ｄ）においては、図の明確性を重視して作業者の手に関する図は省略している。
【００１７】
まず、作業者は、頭髪に装着しようとするビーズ２０と、頭髪に装着されたビーズ２０の抜け落ちを防止するためのチップ３０とをビーズ保持部１１に保持させる。本実施形態においては、図１の破線で示すように、球体に形成された球体ビーズ２１，２２，２３および円筒状に形成された円筒ビーズ２４をビーズ２０として用いる。また、チップ３０は、鋼材で構成された筒体である。これらのビーズ２０およびチップ３０の各孔径は、０．８〜１ｍｍの範囲で設定されている。また、ビーズ２０およびチップ３０の各外径は、１．５〜２ｍｍの範囲で設定されている。
【００１８】
作業者は、ビーズ導入部１２の先端部１２ａをチップ３０の孔部（図示せず）に通すことにより、同チップ３０をビーズ保持部１１に導き保持させる。そして、作業者は、ビーズ２０が装着される者（以下、「被装者」という）の頭髪の毛先側に装着されるビーズから順に、前記チップ３０と同じ要領でビーズ保持部１１に保持させる。具体的には、球体ビーズ２３、円筒ビーズ２４、球体ビーズ２２，２１の順にビーズ保持部１１に保持させる。この場合、作業者は、ビーズ保持部１１に保持されたビーズ２０およびチップ３０をビーズ保持部１１の係止部１３側に位置させる。
【００１９】
なお、このビーズ２０およびチップ３０をビーズ保持部１１に保持させる作業においては、ビーズ２０およびチップ３０はその大きさが非常に小さいため、作業者はビーズ導入部１２を把持しテーブル上に散在させたビーズ２０およびチップ３０の各孔にビーズ導入部１２の先端部１２ａを通すようにするとよい。この場合、ビーズ導入部１２は、鋼材で構成され剛性を有しているため、テーブル上に散在したビーズ２０およびチップ３０の各孔拾い易くビーズ２０を効率よく通すことができる。
【００２０】
次に、作業者は、図２（Ａ）に示すように、被装者Ｈにおけるビーズ２０を装着する部分（位置）の頭髪から所定量の頭髪を毛束Ｋとして選り分ける。この場合、毛束Ｋはビーズ２０およびチップ３０の各孔に通すことができる量だけ選り分けられる。本実施形態においては、１０本程度の頭髪を毛束Ｋとして選り分ける。なお、この毛束Ｋの選り分け作業においては、ビーズ導入部１２の先端部１２ａを用いて毛束Ｋを選り分けるようにするとよい。ビーズ導入部１２は、針状であるため所定量の頭髪を容易に選り分けることができる。
【００２１】
次に、作業者は、ビーズ保持部１１にて毛束Ｋを挟んだ状態（図２（Ａ）参照）で、図２（Ｂ）に示すように、ビーズ導入部１２の先端部１２ａをビーズ保持部１１に保持されたビーズ２０およびチップ３０の各孔に通す。この場合、ビーズ導入部１２の先端部１２ａを、球体ビーズ２１，２２、円筒ビーズ２４、球体ビーズ２３およびチップ３０順に貫通させる。これにより、ビーズ２１の図示右側にビーズ保持部１１によってリングＲが形成されるとともに、同リングＲに毛束Ｋが通っている状態となる。なお、この場合、作業者は、先にリングＲを形成し、その後、形成したリングＲに毛束Ｋを通すようにしてもよい。
【００２２】
次に、作業者は、図２（Ｃ）に示すように、ビーズ導入部１２側のビーズ保持部１１を図示左側に引っ張ることによりリングＲに通っている毛束Ｋをビーズ２０およびチップ３０の各孔内に導く。この場合、ビーズ導入部１２側のビーズ保持部１１と係止部１３側のビーズ保持部１１とを把持して引っ張るようにすれば、円滑に毛束Ｋをビーズ２０およびチップ３０の各孔内に導くことができる。そして、作業者は、図２（Ｄ）に示すように、毛束Ｋの毛先Ｓがチップ３０の孔を通り抜けるまでビーズ保持部１１を引っ張り続ける。この場合、ビーズ２０およびチップ３０を通ってリング状に形成された毛束Ｋ（図２（Ｃ）参照）から、係止部１３側のビーズ保持部１１が抜け落ちないように、ビーズ導入部１２側のビーズ保持部１１と係止部１３側のビーズ保持部１１とを把持して引っ張るようにする。これにより、ビーズ２０およびチップ３０の各孔に毛束Ｋが貫通した状態となる。
【００２３】
作業者は、毛束Ｋにおける被装者が所望するビーズ２０の装着位置にビーズ２０を移動させるとともに、毛先Ｓ側のビーズ２３に隣接する位置にチップ３０を移動させ、ペンチなどの工具を用いてチップ３０を押し潰して毛束Ｋに固定する。これにより、図２（Ｅ）に示すように、被装者が所望する位置にビーズ２０が装着されビーズ２０の装着作業が終了する。また、再度、異なる位置にビーズを装着する場合には、前記と同様な作業にてビーズの装着作業を行う。
【００２４】
上記ビーズ取付具２０の使用説明からも理解できるように、上記実施形態によれば、被装者Ｈの頭髪に装着するビーズ２０の孔に往復してビーズ保持部１１を通し、この際ビーズ保持部１１によって形成されるループＲに毛束Ｋを通した状態でビーズ２０の孔からビーズ保持部１１を抜き取る。これにより、毛束Ｋはビーズ２０の孔内に引き込まれ、ビーズ２０を毛束Ｋに通すことができる。すなわち、ビーズ保持部１１に保持されたビーズ２０を毛束Ｋに移す作業は、ビーズ保持部１１をビーズ２０から抜き取るだけである。このため、従来例のように、ビーズ挿通部、係止部および毛束（糸状の物体）が一直線になる状態を維持する必要がなく、簡易な作業でビーズ２０に毛束Ｋを通すことができる。
【００２５】
また、この場合、ビーズ２０の孔からビーズ保持部１１を抜き取る力は、従来例におけるビーズ挿通部、係止部および毛束（糸状の物体）が一直線になる状態を維持するために毛束に加える力より小さい。このため、ビーズ２０の孔に頭髪を通す際、被装者Ｈに与える不快感を軽減することができる。
【００２６】
さらに、本発明の実施にあたっては、上記実施形態に限定されるものではなく、本発明の目的を逸脱しない限りにおいて種々の変更が可能である。
【００２７】
上記実施形態においては、ビーズ保持部１１の一端部に係止部１３を設けた。これは、ビーズ保持部１１に保持したビーズ２０およびチップ３０がビーズ保持部１１の一端部から抜け落ちるのを防止するためである。したがって、ビーズ保持部１１の一端部を作業者の手で把持するなどによりビーズ２０の抜け落ちが防止できれば、係止部１３は必ずしも必要ではない。なお、係止部１３を設ける場合であっても、本実施形態と異なる構成の係止部１３を用いることができる。例えば、ビーズ保持部１１の一端部を結ぶことにより結び目を形成し、この結び目を係止部１３とすることもできる。
【００２８】
また、上記実施形態においては、被装者Ｈの頭髪にビーズ２０を装着する場合について説明したが、ビーズが装着される対象はビーズを装着しようとする糸状の物体であれば、これに限定されるものではない。例えば、被装者Ｈの頭皮または頭髪に装着する人工頭髪（所謂、ヘアピース、エクステンション）にビーズ２０を装着する場合に本発明を適用してもよいし、頭髪に限らず、頭髪以外の体毛（毛髪）例えば、男性のヒゲや動物の体毛などにビーズ２０を装着する場合について本発明を適用してもよい。また、動物以外、例えば、植物のツルや服飾、インテリア用品などにビーズ２０を装着する場合についても本発明を適用することができる。これによっても、上記実施形態と同様の効果が期待できる。
【００２９】
また、上記実施形態においては、毛束Ｋからビーズ２０が抜け落ちるのを防止するためのチップ３０をビーズ取付具１０を用いて毛束Ｋに装着した。しかし、チップ３０はビーズ２０を毛束Ｋに装着する作業自体には必ずしも必要なものではない。したがって、ビーズ２０のみをビーズ取付具１０によって毛束Ｋに通すことができるのは当然である。
【００３０】
また、上記実施形態においては、球体ビーズ２１，２２，２３および円筒ビーズ２４から構成される２種類合計４つのビーズ２０を毛束Ｋに通す場合について説明したが、毛束Ｋに通すビーズの種類やビーズの数は、これに限定されるものではない。被装者Ｈが所望する種類・数のビーズを適宜用いればよい。この場合、使用するビーズの孔径、数に応じてビーズ保持部１１およびビーズ導入部１２の各太さおよび各長さを設定する。これによっても、上記実施形態と同様の効果が期待できる。
【００３１】
また、上記実施形態においては、鋼材にてビーズ導入部１２を構成、すなわち、剛性を有する材料によってビーズ導入部１２を構成したが、ある程度の剛性を有する材料であれば、これに限定されるものではない。すなわち、ビーズ導入部１２は、ビーズ保持部１１に保持されたビーズ２０を貫通することができる材料で構成すればよい。例えば、多少撓む材料、すなわち、可撓性を有するバネ鋼材や樹脂材料などを用いてビーズ導入部１２を構成してもよい。
【００３２】
また、上記実施形態においては、ビーズ導入部１２の孔部（図示せず）にビーズ保持部１１を通して結ぶことにより、ビーズ保持部１１とビーズ導入部１２とを接続したが、これに限定されるものではない。ビーズ保持部１１とビーズ導入部１２とを他の接続方法、例えば、接着によって接続してもよい。また、ビーズ保持部１１とビーズ導入部１２とを一体的に形成してもよい。これによっても、上記実施形態と同様の効果が期待できる。
【００３３】
また、上記実施形態においては、作業者がビーズ取付具１０を用いて被装者Ｈの頭髪にビーズ２０を装着した場合について説明したが、被装者自身が自分の頭髪にビーズ２０を装着するためにビーズ取付具１０を用いてもよい。これによっても、上記実施形態と同様の効果が期待できる。
【図面の簡単な説明】
【００３４】
【図１】本発明の一実施形態に係るビーズ取付具の全体を示す斜視図である。
【図２（Ａ）】図１に示すビーズ取付具におけるビーズ保持部にて毛束を挟んだ状態を示す説明図である。
【図２（Ｂ）】図１に示すビーズ取付具におけるビーズ保持部にて形成されたリング内に毛束を通した状態を示す説明図である。
【図２（Ｃ）】図１に示すビーズ取付具を用いてビーズおよびチップの各孔に毛束を通す過程を示す説明図である。
【図２（Ｄ）】図１に示すビーズ取付具を用いてビーズおよびチップの各孔に毛束を通した状態を示す説明図である。
【図２（Ｅ）】被装者の頭髪にビーズが装着された状態を示す説明図である。
【符号の説明】
【００３５】
Ｈ…被装者、Ｋ…毛束、Ｓ…毛先、Ｒ…ループ、１０…ビーズ取付具、１１…ビーズ保持部、１１ａ…結び目、１２…ビーズ導入部、１２ａ…先端部、１３…係止部、２０…ビーズ、２１，２２，２３…球体ビーズ、２４…円筒ビーズ、３０…チップ。
【図１】
2008104803.tif 000003
【図２（Ａ）】
2008104803.tif 000004
【図２（Ｂ）】
2008104803.tif 000005
【図２（Ｃ）】
2008104803.tif 000006
【図２（Ｄ）】
2008104803.tif 000007
【図２（Ｅ）】
2008104803.tif 000008